【手続補正書】
【提出日】平成17年6月10日(2005.6.10)
【手続補正１】
【補正対象書類名】明細書
【補正対象項目名】全文
【補正方法】変更
【補正の内容】
【書類名】明細書
【発明の名称】体液吸収性物品
【特許請求の範囲】
【請求項１】体液透過性のトップシートと、体液不透過性のバックシートとの間に体液を吸収保持する吸収要素を設け、かつ
少なくとも、体液排出口部位を中心としてその左右両脇に複数の圧搾部よりなるエンボス線を少なくとも前後方向に沿って内外二重に設けてなる、体液吸収性物品であって、
内側のエンボス線付与部の少なくとも一部の硬さと、外側のエンボス線の少なくとも一部の硬さとを異ならしめたことを特徴とする体液吸収性物品。
【請求項２】下記の（イ）〜（ニ）の少なくとも一つの手法により、内側のエンボス線付与部の少なくとも一部の硬さと、外側のエンボス線の少なくとも一部の硬さとを異ならしめた、請求項１記載の体液吸収性物品。
（イ）エンボス線の幅を異ならしめる。
（ロ）エンボス線の単位長さ当たりの圧搾部面積を異ならしめる。
（ハ）圧搾部の圧搾強度を異ならしめる。
（ニ）圧搾部の平面形状を異ならしめる。
【請求項３】少なくとも前記外側のエンボス線は、少なくとも体液排出口部位と対応する部分において前後より体液排出口部位側に膨出する形状を有している、請求項１または２記載の体液吸収性物品。
【請求項４】外側のエンボス線付与部の少なくとも一部の圧縮エネルギー値が２．０（ｇｆｃｍ／ｃｍ2）未満であり、内側のエンボス線付与部の少なくとも一部の圧縮エネルギー値がこれよりも高く、２．５（ｇｆｃｍ／ｃｍ2）以上である、請求項１〜３のいずれか１項に記載の体液吸収性物品。
【請求項５】内側のエンボス線付与部の少なくとも一部の圧縮エネルギー値が２．０（ｇｆｃｍ／ｃｍ2）未満であり、外側のエンボス線付与部の少なくとも一部の圧縮エネルギー値がこれよりも高く、２．５（ｇｆｃｍ／ｃｍ2）以上である、請求項１〜３のいずれか１項に記載の体液吸収性物品。
【請求項６】生理用ナプキンである、請求項１〜５のいずれか１項に記載の体液吸収性物品。
【発明の詳細な説明】
【０００１】
【発明の属する技術分野】
本発明は、経血を吸収保持し裏面側への漏れを防止する生理用ナプキン等の体液吸収性物品に関する。より詳細には、少なくとも、体液排出口部位を中心としてその左右両脇に複数の圧搾部よりなるエンボス線を少なくとも前後方向に沿って内外二重に設けてなる体液吸収性物品に関する。
【０００２】
【従来の技術】
生理用ナプキンには、運動量の多い日中の使用に適するいわゆる昼用ナプキンと、就寝時の使用に適するいわゆる夜用ナプキンとが存在する。前記夜用ナプキンは、特に就寝時に発生しやすい後ろ漏れを防止すべく、臀部側が大きく張り出した形状をしており、前後非対称の形状である。
【０００３】
これに対して、昼用ナプキンは、その使用が目立たないように小さく（通常、長手方向長さが、いわゆる軽い日用で１５〜２０ｃｍ、普通−長時間用で２０〜２４ｃｍ、長時間用で２４〜２８ｃｍ）、前後対称形状となっている。このように昼用ナプキンは、前後対称形状となっているので、前後の方向に関係なく装着できる。
【０００４】
いずれのナプキンにおいても、前後及び左右の漏れ防止を図ることは、製品に要求される最も重要な事項である。
【０００５】
このための手段として、種々のものがあるが、大別すると、経血を素早く吸収体内に導く手段、前後及び又は側部において透液性トップシート側から吸収要素までの部分を圧搾することにより複数の圧搾部からなるエンボス線を形成して、そのエンボス線に沿って経血を誘導する手段、側部において使用面側に起立するフラップ又はそのフラップに弾性伸縮部材を設けたギャザーシートにより経血を阻止して横漏れを防止する手段がある。このために具体的手段として種々のものが提案されている。
【０００６】
製品の長手方向中央部（臀部側に延在する夜用ナプキンでは長手方向中央よりやや前側）において、透液性トップシートのみに主にデザインの観点からエンボスを形成したもののほか、前述の経血を素早く吸収体内に導く手段として、透液性トップシートから下方の吸収体の表面部までを一体化させたものも知られている。
【０００７】
他方、前記のエンボス線の形成は、経血の誘導のみならず、吸収要素部位の折曲がり変形を促すことにより股間へのフィット性を向上させ、漏れ防止を図るために有効であり、しかもナプキンの装着時のヨレを防止するためにも有効であるので、近年、汎用されている手法である。例えば、体液排出口部位を中心としてその左右両脇に複数の圧搾部よりなるエンボス線を前後方向に延在する形態で内外二重に設けてなる体液吸収性物品としては、特開昭５２−１３８３９８号公報や特開２００１−２９９８１２号公報記載のものがある。
【０００８】
【発明が解決しようとする課題】
かかる体液吸収性物品においては、内側エンボス線は体液排出口付近の敏感部に近いため、また外側エンボス線は内股に近いため、それぞれ適切な硬さが必要である。
【０００９】
しかるに、従来は、内側エンボス線付与部と外側エンボス線付与部とが実質的に等しい硬さを有しており、一方の硬さを適切にすれば他方の硬さが不適切になるという問題点を有していた。
【００１０】
例えば、生理用ナプキンにおいてエンボス線による経血の誘導性能を重視すると、必然的にエンボス線の圧搾部の幅を広げたり、圧搾強度を高めたりすることになる。しかしこの場合、内側および外側のエンボス線付与部における硬さが等しく高くなり、体液排出口部位が硬くなりすぎる結果、体液排出口周辺の肌荒れを引き起こすとともに、ヨレ耐性が高くなり過ぎ装着者にゴワゴワ感をもたらすことになる。そこで、例えば内側および外側エンボス線付与部の硬さを体液排出口付近の肌荒れ防止を重視した設定とすると、内側エンボス線付与部の硬さは適切になるが、経血の誘導性能が低下するとともに、外側エンボス線付与部の硬さが不足しヨレ易くなるおそれがある。一方、ヨレ防止を重視すると、体液排出口付近の肌荒れ防止を図り難くなる。
【００１１】
したがって、本発明の主たる課題は、内側エンボス線付与部および外側エンボス線付与部の両方が適切な硬さを有する体液吸収性物品を提供することにある。また他の課題は、体液排出口付近の敏感肌の肌荒れ防止または装着違和感の低減と、漏れ防止とを両立させることにある。
【００１２】
【課題を解決するための手段】
上記課題を解決した本発明は以下のとおりである。
＜請求項１記載の発明＞
体液透過性のトップシートと、体液不透過性のバックシートとの間に体液を吸収保持する吸収要素を設け、かつ
少なくとも、体液排出口部位を中心としてその左右両脇に複数の圧搾部よりなるエンボス線を少なくとも前後方向に沿って内外二重に設けてなる、体液吸収性物品であって、
内側のエンボス線付与部の少なくとも一部の硬さと、外側のエンボス線の少なくとも一部の硬さとを異ならしめたことを特徴とする体液吸収性物品。
【００１３】
（作用効果）
このように、内側のエンボス線付与部の少なくとも一部の硬さと外側のエンボス線の少なくとも一部の硬さとを異ならしめることによって、各エンボス線付与部を相互独立に適切な硬さとすることができるようになる。
【００１４】
＜請求項２記載の発明＞
下記の（イ）〜（ニ）の少なくとも一つの手法により、内側のエンボス線付与部の少なくとも一部の硬さと、外側のエンボス線の少なくとも一部の硬さとを異ならしめた、請求項１記載の体液吸収性物品。
（イ）エンボス線の幅を異ならしめる。
（ロ）エンボス線の単位長さ当たりの圧搾部面積を異ならしめる。
（ハ）圧搾部の圧搾強度を異ならしめる。
（ニ）圧搾部の平面形状を異ならしめる。
【００１５】
（作用効果）
エンボス線付与部は圧搾部の高密度化により硬くなる。したがって、具体的には上記（イ）〜（ニ）のいずれか一つ又はこれらの適切な組み合わせによって、内側のエンボス線付与部の少なくとも一部の硬さと、外側のエンボス線の少なくとも一部の硬さとを異ならしめることができる。
【００１６】
＜請求項３記載の発明＞
少なくとも前記外側のエンボス線は、少なくとも体液排出口部位と対応する部分において前後より体液排出口部位側に膨出する形状を有している、請求項１または２記載の体液吸収性物品。
【００１７】
（作用効果）
このように少なくとも外側のエンボス線が内向きに湾曲していると、股間のフィット性が向上する。よって、この湾曲形態を、外側のエンボス線付与部を比較的に硬くする形態と組み合わせると、硬さの割には装着者に対して違和感を与え難くなる利点がある。
【００１８】
＜請求項４記載の発明＞
外側のエンボス線付与部の少なくとも一部の圧縮エネルギー値が２．０（ｇｆｃｍ／ｃｍ2）未満であり、内側のエンボス線付与部の少なくとも一部の圧縮エネルギー値がこれよりも高く、２．５（ｇｆｃｍ／ｃｍ2）以上である、請求項１〜３のいずれか１項に記載の体液吸収性物品。
【００１９】
（作用効果）
ここに、本発明にいう圧縮エネルギー値とは、カトーテック社製のハンディー圧縮試験機（ＫＥＳ−Ｇ５）を用い、下記の条件下で、加圧部（円形）の中心をエンボス線の幅方向中央を通る中心線に合わせて圧縮試験を行い、圧力と変形量との相関図から得られる圧縮エネルギー値ＷＣを意味する。図８は、圧力と変形量との相関図（Ｘ軸：ｍｍ（変形量），Ｙ軸：ｇｆ／ｃｍ2）を示したものであり、圧縮エネルギー値ＷＣはａ部分の面積値とｂ部分の面積値との和であり、単位はｇｆｃｍ／ｃｍ2である。この圧縮エネルギー値ＷＣは、値が大きいほど圧縮され易い、すなわち柔らかいことを意味し、値が小さいほど硬いことを意味するものである。
［試験条件］
ＳＥＮＳ（記録感度）：２
力計の種類：１ｋｇ
ＳＰＥＥＤ  ＲＡＮＧＥ：０．０１（ｃｍ／ｓｅｃ）
ＤＥＦ感度：５
加圧面積：２ｃｍ2
取込み間隔：０．１（標準）
ＳＴＲＯＫＥ  ＳＥＴ：５．０
上限荷重：５０ｇｆ／ｃｍ2
【００２０】
従来、この種のエンボス線付与部は約２．０程度の圧縮エネルギー値を有する。ここで前述のようにエンボス線付与部を内外ともに柔らかくすると体液（経血含む）の誘導性能およびヨレ耐性の低下により漏れ防止性能が低下する。そこで、本請求項４記載の発明では、外側のエンボス線付与部の圧縮エネルギー値を従来と同等以下にし、ある程度の硬さをもたせて、体液の誘導性能およびヨレ耐性を十分に確保しつつも、内側のエンボス線付与部の圧縮エネルギー値を２．５（ｇｆｃｍ／ｃｍ2）以上として従来よりも柔らかくすることにより、体液排出口付近の肌荒れを防止するようにしている。この場合、外側のエンボス線付与部の硬さによっては、ヨレ耐性が高くなりすぎ、装着者に違和感をもたらすおそれがあるが、上記範囲内であれば違和感も少なく、またその違和感も、前述の請求項３記載の構成を組み合わせて採用し、股間フィット性を向上させることである程度まで回避することができる。
【００２１】
＜請求項５記載の発明＞
内側のエンボス線付与部の少なくとも一部の圧縮エネルギー値が２．０（ｇｆｃｍ／ｃｍ2）未満であり、外側のエンボス線付与部の少なくとも一部の圧縮エネルギー値がこれよりも高く、２．５（ｇｆｃｍ／ｃｍ2）以上である、請求項１〜３のいずれか１項に記載の体液吸収性物品。
【００２２】
（作用効果）
本請求項５記載の発明では内側のエンボス線付与部の圧縮エネルギー値は従来と同等以下にし、内側部分において体液の誘導性能およびヨレ耐性を確保しつつも、外側のエンボス線付与部の圧縮エネルギー値を２．５（ｇｆｃｍ／ｃｍ2）以上として従来よりも柔らかくすることにより、装着者に違和感をもたらしにくくしている。この場合、体液排出口部位近傍がある程度の硬さを有することになる。
【００２３】
なお、本請求項５記載の発明と前述の請求項４記載の発明とは一見矛盾するようであるが、実際は異なる。すなわち、体液排出口付近（いわゆる敏感肌部分）の肌荒れ防止を重視するか、装着違和感の低減を重視するかは、いずれのユーザーニーズに合わせて商品作りをするかの問題であって、技術的効果とは別異の問題である。敏感肌部分が弱い装着者にとっては前者の構成を採用した商品が望ましいものとなるが、敏感肌部が比較的に強い装着者にとっては後者の構成を採用した商品が望ましいものとなるのはいうまでもないことであり、いずれにせよ技術的に有利な効果がもたらされることに変わりはない。
【００２４】
＜請求項６記載の発明＞
生理用ナプキンである、請求項１〜５のいずれか１項に記載の体液吸収性物品。
【００２５】
（作用効果）
以上の説明、特に発明が解決しようとする課題の項で詳細に述べた事項からも明らかなように、本発明は特に生理用ナプキンに好適である。
【００２６】
【発明の実施の形態】
以下、本発明の実施の形態について生理用ナプキンへの適用例を引いて詳述するが、本発明はパンツ型若しくはテープ式紙おむつへの適用も可能である。また生理用ナプキンとしては、実質的に前後対称形状の昼用のものであるか、臀部側に延在し、その臀部側が大きく張り出した形状をした夜用のもの、側部に張り出すウイングを有するいわゆるウイングタイプのものであるか、ウイングを有さない非ウイングタイプの生理用ナプキンであるかは問わず適用できることは当然である。夜用のものやウイングタイプの生理用ナプキンのものは、周知であるため構造説明は省略する。さらに本発明は、たとえば前述の昼用ナプキンとして好適に使用でき、特に長手方向長さが２４〜２８ｃｍの「長時間用」として好適に提供できるものである。
【００２７】
＜第１の形態＞
図１および図２に示す、本発明に係る生理用ナプキン１の実施形態は、ポリエチレンシート、ポリプロピレンシートなどからなる不透液性裏面シート２と、経血やおりものなどを速やかに透過させる透液性トップシート３とを有する。これら両シート２，３間には、綿状パルプまたは合成パルプなどからなる吸収コア４を含む吸収体が介在されている。吸収コア４は図示しないクレープ紙によりその略全体を包むことができ、これにより形状保持および拡散性向上を図ることができる。この場合、吸収コア４およびクレープ紙が本発明の吸収要素を構成する。
【００２８】
表面両側部には、それぞれ長手方向に沿って形成されたサイド不織布６，６が設けられている。前記吸収コア４の周囲において、その上下端縁部では、前記不透液性裏面シート２と透液性トップシート３との外縁部がホットメルトなどの接着剤やヒートシール等の接着手段によって接合され、またその両側縁部では吸収コア４よりも側方に延出している前記不透液性裏面シート２と前記サイド不織布６とがホットメルトなどの接着剤やヒートシール等の接着手段によって接合されている。
【００２９】
さらに前記生理用ナプキン１の構造や素材などについてさらに詳述すると、不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した不織布シート（この場合には防水フィルムと不織布とで不透液性裏面シートを構成する。また通常、製品外面側に不織布が位置する積層形態が採られる）などを用いることができる。近年はムレ防止の観点から透湿性を有するものが用いられる傾向にある。この遮水・透湿性シート材としては、ポリエチレンやポリプロピレン等のオレフィン系樹脂中に無機充填剤を混練してシートを成形した後、一軸または二軸方向に延伸することにより得られる微多孔性シートがある。
【００３０】
次いで、透液性トップシート３としては、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００３１】
透液性トップシート３には、図示しない表面エンボスを付与することができる。この表面エンボスは、透液性トップシート３が吸収コア４と組み合わされる前の工程で付与されるので、吸収コア４及びクレープ紙の変形はないものであり、この点で本発明が対象とするエンボス線のエンボスとは異なる。
【００３２】
吸収コア４は、たとえばフラッフ状パルプと吸水ポリマーとにより構成されている。前記吸水性ポリマーは吸収コアを構成するパルプ中に例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。吸収コア４は、図面では概略的に示したため平坦になっているが、通常はフィット性向上のために前後方向及び幅方向中央が周囲に対して膨出する中高に形成される。
【００３３】
他方、本生理用ナプキン１の表面がわ両側部にはそれぞれ、長手方向に沿って、かつ吸収性物品のほぼ全長に亘ってサイド不織布６，６が設けられているとともに、このサイド不織布６，６の一部６ｂが側方に延在されるとともに、前記不透液性裏面シート２の一部が側方に延在され、これら側方に延在されたサイド不織布６部分と不透液性裏面シート２部分とがホットメルト接着剤等により接合されている。
【００３４】
サイド不織布６としては、重要視する機能に応じてそれぞれ撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用い、ウイング状張り出し部における経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにする。サイド不織布６として親水処理不織布を用いるのが望ましい。かかるサイド不織布６としては、天然繊維、合成繊維または再生繊維などを素材として、適宜の加工法によって形成されたものを使用することができるが、好ましくは目付け量を抑えて通気性を持たせた不織布を用いるのがよい。
【００３５】
サイド不織布６，６の内側部分６ｃは、吸収コア４の側縁より内方に延在し、二重シート状態で透液性トップシート３上にホットメルト接着剤に接着され、その接着側縁より外方に折り返され、その折り返し部分に糸ゴムなどの弾性伸縮部材６Ａ，６Ａが伸張状態でホットメルト接着剤により接着されている。サイド不織布６の折り返し部分の長手方向前後端部は、重ね合わせ状態で相互がホットメルト接着剤に接着されているが、中間部分は接着されていない。したがって、使用状態においては、弾性伸縮部材６Ａ，６Ａの収縮力により折り返し部分が起立し、経血の横漏れ防止バリヤーとして機能する。
【００３６】
（本発明のポイント）
さて本発明は、複数の圧搾部ｃよりなるエンボス線９Ａ，９Ｂを、少なくとも、体液排出口部位Ｚを中心としてその左右両脇に前後方向に延在する形態で内外二重に設けてなるものを対象とする。本第１の形態では、体液排出口部位Ｚを中心として物品前後方向を長軸とする略楕円状に、内側のエンボス線９Ａおよび外側のエンボス線９Ｂがそれぞれ環状に形成されている。
【００３７】
本発明のエンボス線９Ａ，９Ｂは多数の圧搾部ｃを並設して形成されるものであり、主に経血の誘導により経血が外方に拡散するのを防止するため及び物品のヨレ耐性を高めるために設けられる。また本発明の圧搾部ｃは、図２からも明らかなように吸収コア４の変形を伴うものであり、より詳細には吸収コア４の厚みの１０％以上の深さを有する凹部を形成するものである。
【００３８】
圧搾部ｃの基本的条件（内外エンボス線に共通する）を挙げると次のようになる。すなわち、圧搾部ｃの圧搾深さｈは、吸収コア４の厚みＨの１０％以上、特に３０％以上が望ましい。圧搾部ｃのエンボス線長手方向の間隔は１〜５ｍｍ、特に２〜３ｍｍが望ましい。エンボス線の幅Ｑ（すなわち圧搾部ｃの幅）は１０ｍｍ以下、特に２〜５ｍｍが望ましい。表面の風合いを損なわない限度で裏面側の素材との接合強度が保たれるように、圧搾部ｃの面積は０．５〜３０ｍｍ2、特に３〜２０ｍｍ2のエンボスが望ましい。さらにエンボス線９Ａ，９Ｂ付与部の圧縮エネルギー値は１．０〜１０．０（ｇｆｃｍ／ｃｍ2）の範囲とすることができる。かかるエンボス線９Ａ，９Ｂは、各層を重ねた状態で使用面側から加熱しながらエンボスすることにより、いわゆる熱融着エンボスとして形成できる。なお、この基本的条件は全ての形態に共通する。
【００３９】
本第１の形態では、かかる基本的条件を踏まえた上で、図２の断面からも判るように、エンボス線の圧搾部ｃの圧搾強度を内側９Ａと外側９Ｂとで異ならしめている。このため、圧搾部ｃの深さが異なっている。具体的には、外側エンボス線９Ｂの圧搾部ｃを従来と同程度以上の圧搾強度で形成して、外側のエンボス線９Ｂ付与部の硬さは従来と同等以上となし、これによって経血の誘導性能およびヨレ耐性を十分に確保している。反対に、内側エンボス線９Ａの圧搾部ｃは外側９Ｂよりも低い圧搾強度で形成して、内側のエンボス線９Ａ付与部を外側９Ｂよりも柔らかくし、体液排出口付近の敏感肌部分の肌荒れを防止するようにしている。
【００４０】
圧搾強度により外側および内側エンボス線９Ａ，９Ｂの付与部の硬さに差をもたせる場合、圧搾強度の差は圧搾深さにして吸収コアの元の厚さの１〜５０％程度、特に３〜５０％程度であるのが望ましい。なお、圧搾部ｃは吸収コア４が圧縮される形態で圧搾されたものである限り、エンボスの形状に限定はない。
【００４１】
これによって、具体的には外側のエンボス線９Ｂ付与部の圧縮エネルギー値が２．０（ｇｆｃｍ／ｃｍ2）未満、特に１．７〜１．９（ｇｆｃｍ／ｃｍ2）となり、内側のエンボス線９Ａ付与部の圧縮エネルギー値がこれよりも高く、２．５（ｇｆｃｍ／ｃｍ2）以上、特に３．０〜４．０（ｇｆｃｍ／ｃｍ2）となるようにするのが望ましい。
【００４２】
また、本第１の実施形態のように、外側のエンボス線９Ｂ付与部の硬さが従来と同等以上である場合、少なくとも外側のエンボス線９Ｂは、少なくとも体液排出口部位Ｚと対応する部分において前後より体液排出口部位Ｚ側に膨出する形状を有していると、股間のフィット性が向上し、外側のエンボス線９Ｂ付与部を比較的硬くしても、その割には装着者に対して違和感を与え難くなる。図示形態では、内側および外側の両エンボス線９Ａ，９Ｂの両方が、その前後方向延在部分が体液排出口対応部分を頂点とする膨出形態で内向きに湾曲している。
【００４３】
（第２の形態）
第２の形態１´は、図３及び図４に示すように、第１の形態に対して内外エンボス線９Ａ，９Ｂの圧搾強度を反対にしたものである。すなわち第２の形態では、図３に示すように内側エンボス線９Ａの圧搾部ｃを従来と同程度以上の圧搾強度で形成して、内側のエンボス線９Ａ付与部の硬さは従来と同等以上となし、これによって表面中央部において経血の拡散防止性能を担保している。反対に、外側エンボス線９Ｂの圧搾部ｃは内側９Ａよりも低い圧搾強度で形成して、外側のエンボス線９Ｂ付与部を内側９Ａよりも柔らかくし、股間部における違和感をもたらしにくくしている。
【００４４】
具体的には、かかる圧搾強度の差異によって、内側のエンボス線９Ａ付与部の圧縮エネルギー値が２．０（ｇｆｃｍ／ｃｍ2）未満、特に１．７〜１．９（ｇｆｃｍ／ｃｍ2）となり、外側のエンボス線９Ｂ付与部の圧縮エネルギー値がこれよりも高く、２．５（ｇｆｃｍ／ｃｍ2）以上、特に３．０〜４．０（ｇｆｃｍ／ｃｍ2）となるようにするのが望ましい。
【００４５】
本形態では、股間におけるゴワゴワ感が発生しにくくなるため、第１の実施形態と異なり、エンボス線９Ａ，９Ｂの前後方向延在部分を内向きに湾曲させずに前後方向に直線状となし、エンボス線９Ａ，９Ｂ内部分を広くとり、経血の幅方向拡散面積を拡大している。
【００４６】
（第３の形態）
図示しないが上記第１の形態において、第２の形態と同様にエンボス線９Ａ，９Ｂの前後方向延在部分を内向きに湾曲させずに前後方向に直線状とすることもできる。
【００４７】
（第４の形態）
また図示しないが、第２の形態において、第１の形態と同様に少なくとも外側のエンボス線９Ｂが、少なくとも体液排出口部位Ｚと対応する部分において前後より体液排出口部位側に膨出する形状を有するように構成しても良い。
【００４８】
＜硬さを異ならしめるための各種形態＞
本発明は、エンボスによる圧搾部ｃが高密度化により硬くなることを利用するものである。したがって、本発明においてエンボス線９Ａ，９Ｂ付与部の硬さに差異をもたせるために、次の（イ）〜（ニ）の手法のいずれか一つまたはこれらを組合せて適用することができる。
【００４９】
（イ）エンボス線の幅を異ならしめる手法。
本発明では、エンボス線９Ａ，９Ｂの幅（すなわち圧搾部ｃの幅）ｗ１，ｗ２（図１参照）の差により内外エンボス線９Ａ，９Ｂの付与部に硬さの差をもたせることができ、その差は、硬さに係る他の条件を内外共通にした場合、０．５〜８ｍｍ、特に１〜５ｍｍ程度であるのが望ましい。
【００５０】
具体的に、第１の形態と同様の作用効果を得るためには、内側エンボス線９Ａの幅ｗ１は１〜２ｍｍ程度とし、外側エンボス線９Ｂの幅ｗ２は２〜３ｍｍ程度とすることを推奨する。また、第２の形態と同様の作用効果を得るためには、内側エンボス線９Ａの幅は２〜３ｍｍ程度とし、外側エンボス線９Ｂの幅は１〜２ｍｍ程度とすることを推奨する。
【００５１】
（ロ）エンボス線の単位長さ当たりの圧搾部面積（以下、圧搾部密度ともいう）を異ならしめる手法。
本発明では、図５（ａ）〜（ｆ）に示すようにエンボス線９（図中いずれか一方を内側エンボス線とし他方を外側エンボス線とすることができる）内における圧搾部ｃの疎密によっても内外エンボス線付与部の硬さに差をもたせることができる。同図（ａ）の圧搾部ｃは形状および長手方向中心間隔は共通であり面積のみが異なっている。また同図（ｂ）の圧搾部ｃは形状は共通するが、長手方向中心間隔および面積が異なっている。同図（ｃ）〜（ｆ）は長手方向中心間隔は共通するが形状および面積がそれぞれ異なっている。本形態において、具体的に、硬さに係る他の条件を内外共通にした場合、圧搾部密度の差は１．５〜８倍程度、特に２〜６倍程度とするのが望ましい。
【００５２】
さらに具体的に第１の形態と同様の作用効果を得るためには、内側エンボス線９Ａの圧搾部密度は９〜１９ｍｍ2／ｍｍ程度とし、外側エンボス線９Ｂの圧搾部密度は３０〜４５ｍｍ2／ｍｍ程度とすることを推奨する。また、第２の形態と同様の作用効果を得るためには、内側エンボス線９Ａの圧搾部密度は３０〜４５ｍｍ2／ｍｍ程度とし、外側エンボス線９Ｂの圧搾部密度は９〜１９ｍｍ2／ｍｍ程度とすることを推奨する。
【００５３】
（ハ）圧搾部の圧搾強度を異ならしめる手法。
これは、前述した手法である。具体的に、硬さに係る他の条件を内外共通にした場合、圧搾強度の差は、圧搾深さｈで吸収コア４の元の厚さの１〜５０％程度、特に３〜５０％程度であるのが望ましい。
【００５４】
さらに具体的に第１の形態と同様の作用効果を得るためには、内側エンボス線９Ａの圧搾強度は圧搾深さｈで０．５〜１．５ｍｍ程度とし、外側エンボス線９Ｂの圧搾強度は圧搾深さｈで１〜２ｍｍ程度とすることを推奨する。また、第２の形態と同様の作用効果を得るためには、内側エンボス線９Ａの圧搾強度は圧搾深さｈで１〜２ｍｍ程度とし、外側エンボス線９Ｂの圧搾強度は圧搾深さｈで０．５〜１．５ｍｍ程度とすることを推奨する。
【００５５】
（ニ）圧搾部の平面形状を異ならしめる手法。
この手法は、圧搾部ｃの中心間隔を異ならせずに前述の圧搾部密度の変化を行う場合に好適なものであり、図５に示すように、従来から汎用されている平行四辺形のほかに、円形、楕円形、多角形等を採用できる。また平行四辺形や楕円形のように圧搾部の長さおよび幅が異なる形状は硬さに方向性が出るため、これを考慮して圧搾部を形成すると、例えば物品長手方向、幅方向または斜め方向における硬さを集中的に向上させたり低減させたりすることができる。さらに、従来はかかるエンボス線の圧搾部形状は平行四辺形が一般的であるが、円形や楕円形、多角形等を採用することにより機能美をもたらしめることができる。
【００５６】
＜エンボス線の各種形態＞
ここで、本発明が対象とするエンボス線の各種形態についてまとめると、図６のようになる。本発明では、エンボス線が体液排出口部位を中心としてその左右両脇に前後方向に延在する形態で内外二重に設けられている限り、これに追加して種々の位置にエンボス線を付与でき、この追加のエンボス線についても本発明の特徴構成を適用できる。
【００５７】
例えば、図６（ａ）に示すように、体液排出口部位を中心としてこれを取り囲むように３重環状にエンボス線９Ａ〜９Ｃを設けることができ、これらエンボス線の全て９Ａ〜９Ｃまたはそのうちの２つのエンボス線９Ａ・９Ｂ、９Ｂ・９Ｃ、９Ｃ・９Ａの硬さを相互に異ならしめることができる。すなわち、最外のエンボス線９Ｂと中間のエンボス線９Ｃとの関係、中間のエンボス線９Ｃと最内のエンボス線９Ａとの関係、ならびに最外のエンボス線９Ｂと最内のエンボス線９Ａとの関係においては、それぞれ、前者が本発明の外側エンボス線に及び後者が本発明の内側エンボス線に相当する。
【００５８】
もちろん本発明では、図６（ｂ）に示すように前後方向に延在する形態のエンボス線９Ａ，９Ｂのみを、体液排出口部位の左右両脇に内外二列それぞれ設けることもできる。
【００５９】
さらに、図６（ｃ）に示すように、内側のエンボス線９Ａについては体液排出口部位を取り囲むように環状に設け、外側のエンボス線９Ｂ，９Ｂについては左右両脇にのみ設けることもできる。この場合、内側のエンボス線９Ａにおける外側エンボス線９Ｂ，９Ｂと対応する部分のみ、外側エンボス線部分に対して硬さを異ならしめることができる。これを内外反対にしたものが、図６（ｄ）である。
【００６０】
さらに図６（ｅ）は、外側エンボス線をその延在方向に不連続に形成したものであり、より詳細には外側エンボス線を、前後の湾曲状エンボス線９Ｄ，９Ｄと左右の直線状エンボス線９Ｂ，９Ｂとに分離し不連続にしている。図示しないが、内側エンボス線のみ又は内外エンボス線の両方を不連続にすることができる。
【００６１】
さらに図６（ｆ）は第１の形態に対して、前側の体液拡散防止性能を向上させるべく、前部における内外エンボス線９Ａ，９Ｂ間にのみ幅方向に沿う補助エンボス線９Ｅを追加した形態である。この場合、この前部補助エンボス線９Ｅ付与部についても、内外エンボス線９Ａ，９Ｂの両方または一方に対して硬さを異ならしめることができる。さらに図示しないが、この前部補助エンボス線９Ｅに代えてまたはこれとともに、後部における内外エンボス線９Ａ，９Ｂ間に同様の補助エンボス線を付与することもできる。
【００６２】
＜その他＞
本発明では、外側および内側エンボス線付与部の硬さに差をもたせる限り、エンボス線の長手方向の一部のみ（あくまでエンボス線の一部であり、エンボス線内の圧搾部と非圧搾部との硬さの差によるものは含まない）の硬さが、その内側または外側のエンボス線の一部または全部の硬さと比べて差があるように構成することもできる。
【００６３】
さらに本発明では、単一のエンボス線内に、幅方向に複数の圧搾部があっても良い。
【００６４】
【実施例】
表１に示すように、エンボス線の硬さを圧搾部密度により各種異ならしめたエンボス線が内外二重環状タイプの生理用ナプキン、エンボス線の硬さを圧搾部密度により各種異ならしめたエンボス線が一重（外側のみ）タイプの生理用ナプキン、ならびにエンボス線なしの生理用ナプキンを製造し、それぞれ、圧縮エネルギー値を計測した。その結果、図７に示す圧搾部密度と圧縮エネルギー値との相関関係が得られた。
【００６５】
また、下記の使用評価試験、吸収評価試験、およびヨレ耐性評価試験を行った。試験結果を表１に示する。
【００６６】
（使用評価試験）
モニター女性３５人に、各タイプの生理用ナプキンを２時間づつ装着してもらいその装着感（両側部のゴワゴワ感および体液排出口近傍の肌触り）について、以下の表現のうち最も近い使用感の数字を選んでもらい、その平均値を評価値とする。
【００６７】
（吸収評価試験）
ナプキンを斜度３０度の傾斜平板上に、幅方向が傾斜上下方向に沿う横向き姿勢で固定し、体液排出口部位（中央部位）に人工経血を１分間隔で１ｃｃずつ滴下し、これを人工経血が最外のエンボス線を超えるまで、すなわち漏れ発生まで繰り返し、漏れが発生した時までに滴下した人工経血量を測定する。
【００６８】
（ヨレ耐性評価試験）
また生理用ナプキンを手で曲げて、ヨレ難さについて、４段階（◎：ヨレ難い、○：ややヨレ難い、△：ややヨレ易い、×：ヨレ易い）で評価する。
【００６９】
【表１】
2004113538.tif 000001
【００７０】
上記結果からも明らかなように、本発明に係るサンプルＮｏ．３およびＮｏ．４が他の例と比較して、装着感、ヨレ耐性、漏れ耐性の面で優れていることが判る。
【００７１】
【発明の効果】
以上詳述のとおり、本発明によれば、内側エンボス線付与部および外側エンボス線付与部の両方が適切な硬さを有する体液吸収性物品となる。また好適な形態では、体液排出口付近の敏感肌の肌荒れ防止または装着違和感の低減と、漏れ防止とを両立できる等の利点がもたらされる。
【図面の簡単な説明】
【図１】
第１の形態の使用面側からの展開平面図である。
【図２】
第１の形態の断面図である。
【図３】
第２の形態の使用面側からの展開平面図である。
【図４】
第２の形態の断面図である。
【図５】
内外エンボス線付与部の硬さを異ならしめるための各種形態を示す要部拡大平面図である。
【図６】
エンボス線の各種平面配置形態を示す平面図である。
【図７】
圧搾部密度と圧縮エネルギー値との相関関係を示すグラフである。
【図８】
ＫＥＳ圧縮試験により得られる圧力と変形量との相関を示す図である。
【符号の説明】
１…生理用ナプキン、２…不透液性裏面シート、３…透液性トップシート、４…吸収コア、４Ａ…中高部、５…クレープ紙、６…サイド不織布、６Ａ…弾性伸縮部材、９Ａ〜９Ｅ…エンボス線、ｃ…圧搾部。
【手続補正２】
【補正対象書類名】図面
【補正対象項目名】図１
【補正方法】変更
【補正の内容】
【図１】
2004113538.tif 000002
【手続補正３】
【補正対象書類名】図面
【補正対象項目名】図３
【補正方法】変更
【補正の内容】
【図３】
2004113538.tif 000003